(57)【要約】【課題】ペン先先端部が潰れず、使い始めの筆跡幅を一定に維持することが可能な、顔料インキ用ペン先及びそれを用いた筆記具を提供する。【解決手段】顔料インキ用ペン先は、繊維の樹脂加工体または合成樹脂の多孔質体よりなる中芯と、該中芯の外周面を保持する合成樹脂またはゴム弾性材料よりなるホルダーとからなる。ホルダーの先端部に中芯の先端近傍を覆う周状被覆部を一体に形成する。周状被覆部の先端から前記中芯の先端部を前方に突出させる。筆記時、筆記圧により中芯の先端部を弾性変形させ、中芯の先端及び周状被覆部の先端を同時に被筆記面に接触させる。中芯の先端部が周状被覆部先端から突出する軸方向の突出長さＬを、周状被覆部の先端開口部の内径Ｄ以下に設定する。【選択図】  図３
2005131943.tif 000002
【特許請求の範囲】
【請求項１】
繊維加工体または合成樹脂多孔質体よりなる中芯と、該中芯の外周面を保持する合成樹脂またはゴム弾性材料よりなるホルダーとからなり、前記ホルダーの先端部に中芯の先端近傍を覆う周状被覆部を一体に形成し、前記周状被覆部の先端から前記中芯の先端部を前方に突出させ、筆記時に、筆記圧により中芯の先端部を弾性変形させ、中芯の先端及び周状被覆部の先端を同時に被筆記面に接触させてなることを特徴とする顔料インキ用ペン先。
【請求項２】
中芯の先端部が周状被覆部の先端から突出する軸方向の突出長さを、前記周状被覆部の先端開口部の内径以下に設定した請求項１記載の顔料インキ用ペン先。
【請求項３】
軸筒内に顔料インキを収容し、前記軸筒の先端部に取り付けたペン先から前記顔料インキを吐出可能に構成した筆記具であって、前記ペン先が、繊維加工体または合成樹脂多孔質体よりなる中芯と、該中芯の外周面を保持する合成樹脂またはゴム弾性材料よりなるホルダーとからなり、前記ホルダーの先端部に中芯の先端近傍を覆う周状被覆部を一体に形成し、前記周状被覆部の先端から前記中芯の先端部を前方に突出させ、筆記時、筆記圧により中芯の先端を弾性変形させ、中芯の先端及び周状被覆部の先端を同時に被筆記面に接触させてなることを特徴とする筆記具。
【請求項４】
前記顔料インキが筆記板用インキである請求項３記載の筆記具。
【請求項５】
前記軸筒の先端部に中芯保持筒を固定し、前記中芯保持筒の内周面に係合凸部を形成し、一方、前記中芯の中間部外周面に係合凹部を形成し、前記係合凸部と前記係合凹部とを係合させてなる請求項３または４の筆記具。
【請求項６】
前記ペン先を後方へ押圧操作することにより開口する弁装置を備えた請求項３または４記載の筆記具。
【発明の詳細な説明】
【技術分野】
【０００１】
本発明は、顔料インキ用ペン先及びそれを用いた筆記具に関する。本発明で「前」とはペン先側を指し、「後」とはその反対側を指す。
【背景技術】
【０００２】
従来、顔料インキ用のペン先は、高い空隙率を有する繊維または多孔質体からなるため、長期にわたり筆記使用すると、ペン先の先端部が潰れ、筆跡幅が次第に太くなり、使い始めの筆跡幅を一定に維持することが困難であった（例えば、特許文献１）。特に、筆記板用インキを内蔵した筆記具のペン先は、大粒径の顔料を吐出させるために高い空隙を有することから、一層、ペン先の先端部の強度が不足し、ペン先先端部の形状が変化し易かった。その上、前記筆記板用インキを内蔵した筆記具は、筆記時、被筆記面とペン先のみが接触し、一般的な被筆記面（例えば紙面）の場合のように、筆記具を把持した腕や手の小指下側面が被筆記面に接触することがない。そのため、筆記時にペン先にかかる筆記荷重が大きくなり、ペン先先端部の潰れが生じ易かった。
【０００３】
また、ペン先を後方へ押圧操作して弁装置を開口し、弁装置の後方のインキ収容部内のインキをペン先に供給するタイプの筆記具（例えば特許文献２）にあっても、ペン先の押圧操作の繰り返しにより、ペン先先端部が潰れ、筆跡幅が次第に増加し、使い始めと同様の筆記性能が得られなかった。
【０００４】
【特許文献１】特開平１０−３０５８６９号公報
【特許文献２】特開平１０−３０９８８６号公報
【発明の開示】
【発明が解決しようとする課題】
【０００５】
本発明は、前記従来の問題点を解決するものであって、ペン先先端部が潰れず、使い始めの筆跡幅を一定に維持することが可能な、顔料インキ用ペン先及びそれを用いた筆記具を提供しようとするものである。
【課題を解決するための手段】
【０００６】
〔１〕本発明の顔料インキ用ペン先１は、繊維加工体または合成樹脂多孔質体よりなる中芯２と、該中芯２の外周面を保持する合成樹脂またはゴム弾性材料よりなるホルダー３とからなり、前記ホルダー３の先端部に中芯２の先端近傍を覆う周状被覆部３１を一体に形成し、前記周状被覆部３１の先端から前記中芯２の先端部を前方に突出させ、筆記時、筆記圧により中芯２の先端部を弾性変形させ、中芯２の先端及び周状被覆部３１の先端を同時に被筆記面９に接触させてなること（請求項１）を要件とする。前記請求項１により、筆記時、筆記圧により中芯２の先端部が弾性変形され、中芯２の先端及び周状被覆部３１の先端が同時に被筆記面９に接触されるため（図４参照）、長期にわたり筆記使用しても、ペン先１先端部（即ちホルダー３先端部及び中芯２先端部）が潰れず、ペン先１先端部の初期の形状が保持され、使い始めの筆跡幅を一定に維持することができる顔料インキ用ペン先（例えば、筆記板用顔料インキ用ペン先）を得る。
【０００７】
〔２〕前記請求項１の顔料インキ用ペン先１において、中芯２の先端部が周状被覆部３１の先端から突出する軸方向の突出長さＬを、前記周状被覆部３１の先端開口部の内径Ｄ以下に設定すること（請求項２）が好ましい（図３参照）。前記請求項２により、筆記時、中芯２の先端部が折れ曲がって周状被覆部３１と被筆記面９との間に挟まれるおそれがなく、被筆記面９と周状被覆部３１との適正な接触が得られ、より、一層、筆跡幅を一定に維持することができる（図４参照）。もし、中芯２の先端部が周状被覆部３１の先端から突出する軸方向の突出長さＬが、前記周状被覆部３１の先端開口部の内径Ｄより大きい場合、中芯２の先端部が折れ曲がり、周状被覆部３１と被筆記面９との間に挟まれ、被筆記面９と周状被覆部３１との適正な接触が得られず、筆跡幅を一定に維持することができないおそれがある。
【０００８】
〔３〕また、本発明は、軸筒５内に顔料インキを収容し、前記軸筒５の先端部に取り付けたペン先１から前記顔料インキを吐出可能に構成した筆記具４であって、前記ペン先１が、繊維加工体または合成樹脂多孔質体よりなる中芯２と、該中芯２の外周面を保持する合成樹脂またはゴム弾性材料よりなるホルダー３とからなり、前記ホルダー３の先端部に中芯２の先端近傍を覆う周状被覆部３１を一体に形成し、前記周状被覆部３１の先端から前記中芯２の先端部を前方に突出させ、筆記時、筆記圧により中芯２の先端を弾性変形させ、中芯２の先端及び周状被覆部３１の先端を同時に被筆記面９に接触させてなること（請求項３）を要件とする。前記請求項３により、筆記時、筆記圧により中芯２の先端部が弾性変形され、中芯２の先端及び周状被覆部３１の先端が同時に被筆記面９に接触されるため、長期にわたり筆記使用しても、ペン先１先端部（即ちホルダー３先端部及び中芯２先端部）が潰れず、ペン先１先端部の初期の形状が保持され、使い始めの筆跡幅を一定に維持することができる。
【０００９】
〔４〕前記請求項３記載の筆記具４において、前記顔料インキが筆記板用インキであること（請求項４）が好ましい。前記請求項４により、筆記板用インキを内蔵した筆記具４において、使い始めと同様の筆跡幅が長期にわたり得られる。ここで、筆記板用インキとは、インキを吸収しない非吸収面を備えたホワイトボード、ブラックボード、グリーンボード等の筆記板に筆記した筆跡を、消去具により拭き取り可能なインキをいう。
【００１０】
〔５〕前記請求項３または４の筆記具４において、前記軸筒５の先端部に中芯保持筒７を固定し、前記中芯保持筒７の内周面に係合凸部７１を形成し、一方、前記中芯２の中間部外周面に係合凹部２１を形成し、前記係合凸部７１と前記係合凹部２１とを係合させること（請求項５）が好ましい。前記請求項５により、中芯２の前後方向のがたつきが防止される。
【００１１】
〔６〕前記請求項３または４の筆記具４において、前記ペン先１を後方へ押圧操作することにより開口する弁装置８を備えること（請求項６）が好ましい。前記請求項６により、顔料インキを内蔵し、ペン先１の後方への押圧操作により開口する弁装置８（ペン先ノック式弁装置）を備えた筆記具４において、使い始めと同様の筆跡幅が長期にわたり得られる。
【発明の効果】
【００１２】
請求項１により、長期にわたり筆記使用しても、ペン先先端部が潰れず、使い始めの筆跡幅を一定に維持することが可能な、顔料インキ用ペン先を提供できる。
【００１３】
請求項２により、中芯の先端部の折れ曲がりを防止できる。
【００１４】
前記請求項３により、長期にわたり筆記使用しても、ペン先先端部が潰れず、使い始めの筆跡幅を一定に維持することが可能な、顔料インキを内蔵した筆記具を提供できる。
【００１５】
請求項４により、使い始めと同様の筆跡幅が長期にわたり得られる、筆記板用インキを内蔵した筆記具を提供できる。
【００１６】
請求項５により、中芯の前後方向のがたつきが防止される。
【００１７】
請求項６により、使い始めと同様の筆跡幅が長期にわたり得られる、ペン先ノック式弁装置を備えた筆記具を提供できる。
【発明を実施するための最良の形態】
【００１８】
本発明を実施するための最良の形態を、以下、図面に従って説明する。
〔第１の実施の形態〕
図１に本発明の第１の実施の形態を示す。
本実施の形態の筆記具４は、ペン先１と、該ペン先１を保持するペン先保持筒６と、該ペン先保持筒６内に固定される中芯保持筒７と、前記ペン先保持筒６が先端部に取り付けられた軸筒５と、該軸筒５内に収容されるインキ吸蔵体５１とからなる中綿式筆記具である。
【００１９】
・ペン先
前記ペン先１は、繊維束の樹脂加工体または合成樹脂の多孔質体よりなる中芯２と、該中芯２の外周面を保持する合成樹脂またはゴム弾性材料よりなるホルダー３とからなる。前記ホルダー３の先端部には、中芯２の先端近傍を覆う均一肉厚を有する周状被覆部３１が一体に形成される。前記周状被覆部３１の先端から中芯２の先端部が前方に突出される。前記中芯２の先端部が周状被覆部３１の先端から突出する軸方向の突出長さＬは、前記周状被覆部３１の先端開口部の内径Ｄ以下に設定されている。好ましくは、前記中芯２の突出長さＬは、周状被覆部３１の先端開口部の内径Ｄの１５％〜７０％に設定され、それにより、中芯２先端部の十分な折れ曲がり防止性と同時に、筆跡かすれのない円滑なインキ流出性が得られる。
【００２０】
・ホルダー
前記ホルダー３は、合成樹脂またはゴム弾性材料の成形体により得られる。前記成形方法は、射出成形、圧縮成形、押出成形が挙げられるが、均一肉厚の周状被覆部３１が得られる点で、射出成形または圧縮成形が好ましい。また、前記ホルダー３の先端部の周状被覆部３１は、先端に向かうに従い薄肉形状となっている。本実施例では、前記周状被覆部３１は完全な環状であるが、これ以外にも、周状被覆部３１に切り欠き状のスリットを設けることもできる。また、前記ホルダー３の周状被覆部３１より後方の外周面には、鍔部３２が形成される。前記鍔部３２が、ペン先保持筒６の先端に当接されるとともに、前記鍔部３２後方のホルダー３外周面が、ペン先保持筒６の先端開口部の内周面に圧入固着される。前記鍔部３２の後方のホルダー３外周面及び前記鍔部３２の後面には、空気溝３３が形成される。前記空気溝３３を介して、インキ消費に伴い、軸筒５外部から軸筒５内部へ空気が取り込まれる。
【００２１】
・中芯
前記中芯２の先端部は、半球面状となっている。それにより、筆記方向や筆記角度が異なる場合でも、一定の筆跡が得られる。また、前記ホルダー３の後端より後方に突出する中芯２の外周面には環状の係合凹部２１が形成される。また、前記中芯２の後端部は、インキ吸蔵体５１の先端部に突き刺し接続され、中芯２の先端にインキが供給可能となる。また、前記中芯２の空隙率は３５％〜８５％の高い値に設定され、特に、粒径の大きい顔料が分散された筆記板用インキを高濃度で吐出させることができる。
【００２２】
・ペン先保持筒
前記ペン先保持筒６は、先細形状を有する筒状体であり、後部の内周面が軸筒５の先端開口部の外周面に螺着される。また、前記ペン先保持筒６の内周面には内側段部６１が形成される。
【００２３】
・中芯保持筒
前記中芯保持筒７の外周面は、ペン先保持筒６の内周面に圧入される。前記中芯保持筒７の内周面には、係合凸部７１が形成され、該係合凸部７１が、中芯２の係合凹部２１に係合される。それにより、中芯２の前後方向のがたつきが防止される。また、前記中芯保持筒７の後端には鍔部７２が形成される。前記鍔部７２が、前記ペン先保持筒６の内側段部６１と軸筒５の先端とによって、前後方向に挟持される。それにより、前記ペン先保持筒６の内部に前記中芯保持筒７が固定される。
【００２４】
・インキ吸蔵体
前記インキ吸蔵体５１は繊維収束体よりなる。前記インキ吸蔵体５１には、筆記板用の顔料分散インキが含浸されている。
【００２５】
〔第２の実施の形態〕
図２に第２の実施の形態を示す。
本実施の形態の筆記具４は、ペン先１と、該ペン先１を前後に摺動可能に保持するペン先保持筒６と、該ペン先保持筒６が先端部に取り付けられた軸筒５と、該軸筒５の先端開口部に設けられた弁装置８と、前記軸筒５内に形成したインキ貯溜部５２とからなる。
【００２６】
・ペン先
前記ペン先１は、繊維束の樹脂加工体または合成樹脂の多孔質体よりなる中芯２と、該中芯２の外周面を保持する合成樹脂またはゴム弾性材料よりなるホルダー３とからなる。前記ホルダー３の先端部には、中芯２の先端近傍を覆う均一肉厚を有する周状被覆部３１が一体に形成される。前記周状被覆部３１の先端から中芯２の先端部が前方に突出される。前記中芯２の先端部が周状被覆部３１の先端から突出する軸方向の突出長さＬは、前記周状被覆部３１の先端開口部の内径Ｄ以下に設定されている。好ましくは、前記中芯２の突出長さＬは、周状被覆部３１の先端開口部の内径Ｄの１５％〜７０％に設定され、それにより、中芯２先端部の十分な折れ曲がり防止性と同時に、筆跡かすれのない円滑なインキ流出性が得られる。
【００２７】
・ホルダー
前記ホルダー３は、合成樹脂またはゴム弾性材料の成形体により得られる。前記成形方法は、射出成形、圧縮成形、押出成形が挙げられるが、均一肉厚の周状被覆部３１が得られる点で、射出成形または圧縮成形が好ましい。また、前記ホルダー３の先端部の周状被覆部３１は、先端に向かうに従い薄肉形状となっている。本実施例では、前記周状被覆部３１は完全な環状であるが、これ以外にも、周状被覆部３１に切り欠き状のスリットを設けることもできる。前記ホルダー３外周面には、鍔部３２が形成される。前記鍔部３２が、ペン先保持筒６の先端に当接されるとともに、前記鍔部３２後方のホルダー３外周面が、弁体８１のペン先取付孔８１ｄに圧入固着される。
【００２８】
・中芯
前記中芯２の先端部は、半球面状となっている。それにより、筆記方向や筆記角度が異なる場合でも、一定の筆跡が得られる。また、前記中芯２の空隙率は３５％〜８５％の高い値に設定され、特に、粒径の大きい顔料が分散された筆記板用インキや金属粉顔料等を高濃度で吐出させることができる。
【００２９】
・弁装置
前記弁装置８は、弁体８１と、弁座８２と、弾発体支持筒８３と、弾発体８４とからなる。
【００３０】
・弁体
前記弁体８１は、筒状の前部８１ａと、該前部８１ａの後方に形成される弁部８１ｂと、該弁部８１ｂの後方に形成される棒状の後部８１ｃとからなる。前記筒状の前部８１ａには、前方に開口するペン先取付孔８１ｄが設けられ、前記ペン先取付孔８１ｄにペン先１のホルダー３の後端部が圧入固着される。そして、前記弁体８１がペン先１と連動し、前後方向に移動可能となる。また、前記筒状の前部８１ａの側壁には、ペン先取付孔８１ｄと径方向に連通する連通孔８１ｅが形成される。前記ペン先１の中芯２の後端部はホルダー３より後方に突出され、前記連通孔８１ｅを介して、弁体８１の前部８１ａ外方から中芯２の後端部へのインキ供給が可能となる。また、前記弁体８１の後部８１ｃは、弾発体支持筒８３の後端部のガイド孔に挿入される。
【００３１】
・弁座
前記弁座８２は、弾発体支持筒８３の先端開口部の内周面に圧入固着される。
【００３２】
・弾発体支持筒
前記弾発体支持筒８３は、軸筒５の先端開口部の内周面に圧入固着される。
【００３３】
・弾発体
前記弾発体８４は、圧縮コイルスプリングよりなる。前記弾発体８４は、弾発体支持筒８３後端の係止壁と弁部８１ｂ後面との間に配置され、弁体８１を前方に付勢する。前記弾発体８４の前方付勢により、弁部８１ｂが弁座８２に密接され、弁装置８が閉鎖される。また、ペン先１を後方に押圧操作することにより、弁体８１が後方に移動し、弁部８１ｂと弁座８２の密接状態が解除される。それにより、弁装置８が開口され、インキがインキ貯溜部５２からペン先１に供給される。
【００３４】
・ペン先保持筒
前記ペン先保持筒６は、先細形状を有する筒状体であり、後部の内周面が軸筒５の先端開口部の外周面に螺着される。また、外部へのインキ漏出を防ぐために、前記ペン先保持筒６内には、多孔質体よりなるインキ吸収体６２が収容されている。また、ペン先のホルダー３が摺動するペン先保持筒６の先端開口部内周面には、空気溝６３が形成されている。また、前記ペン先保持筒６の内周面には、内側段部６１が形成される。前記内側段部６１と軸筒５先端とにより、弁座８２の先端開口部外周面に突設された鍔部８２ａ、及び弾発体支持筒８３の先端開口部外周面に突設された鍔部８３ａが前後方向に挟持される。
【００３５】
・インキ貯溜部
前記インキ貯溜部５２には、顔料分散インキよりなる筆記板用インキまたは金属顔料インキが直接貯溜されている。
【実施例】
【００３６】
実施例を比較例と対比して説明する。
本実施例は、第１の実施の形態（図１）の筆記具４において、以下のペン先１を適用し、筆記試験を行った。筆記試験は以下のペン先１を適用した筆記具４により、筆記試験機（筆記速度：４ｍ／分、筆記荷重：１００グラム、筆記角度：７０度）にてポリエステルフィルム面に螺旋状に筆記し、５００ｍ筆記した後、筆跡幅の変化及びペン先先端部の潰れについて調査した。
【００３７】
〔実施例１〕
ホルダー３が、ポリアセタール樹脂の射出成形体よりなり、中芯２がアクリル繊維のエポキシ樹脂加工体（空隙率４０％）よりなる。前記ホルダー３の周状被覆部３１の先端開口部の内径Ｄは、３ｍｍに設定される。前記中芯２の先端部の周状被覆部３１の先端から突出する軸方向の突出長さＬは、１．０ｍｍに設定される。また、前記中芯２の先端部は、半球面形状を有する。筆跡幅は、筆記開始時が２．０ｍｍであり、５００ｍ筆記終了後も同じ２．０ｍｍであった。５００ｍ筆記終了後において、ホルダー３先端部の潰れ及び中芯２の先端部の潰れは生じなかった。
【００３８】
〔実施例２〕
ホルダー３が、ポリエチレン樹脂の射出成形体よりなり、中芯２がアクリル繊維のエポキシ樹脂加工体（空隙率４０％）よりなる。前記ホルダー３の周状被覆部３１の先端開口部の内径Ｄは、２．０ｍｍに設定される。前記中芯２の先端部の周状被覆部３１の先端から突出する軸方向の突出長さＬは、０．８ｍｍに設定される。また、前記中芯２の先端部は、半球面形状を有する。筆跡幅は、筆記開始時が１．５ｍｍであり、５００ｍ筆記終了後も同じ１．５ｍｍであった。５００ｍ筆記終了後において、ホルダー３先端部の潰れ及び中芯２の先端部の潰れは生じなかった（図５（ａ）（ｂ）参照）。
【００３９】
〔実施例３〕
ホルダー３が、ニトリルゴムの圧縮成形体よりなり、中芯２がアクリル繊維のエポキシ樹脂加工体（空隙率４０％）よりなる。前記ホルダー３の周状被覆部３１の先端開口部の内径Ｄは、３．０ｍｍに設定される。前記中芯２の先端部の周状被覆部３１の先端から突出する軸方向の突出長さＬは、１．６ｍｍに設定される。また、前記中芯２の先端部は、半球面形状を有する。筆跡幅は、筆記開始時が２．７ｍｍであり、５００ｍ筆記終了後も同じ２．７ｍｍであった。５００ｍ筆記終了後において、ホルダー３先端部の潰れ及び中芯２の先端部の潰れは生じなかった。
【００４０】
〔実施例４〕
ホルダー３が、ユリア樹脂の圧縮成形体によりなり、中芯２がポリエステル繊維のウレタン樹脂加工体（空隙率５０％）よりなる。前記ホルダー３の周状被覆部３１の先端開口部の内径Ｄは、１．５ｍｍに設定される。前記中芯２の先端部の周状被覆部３１の先端から突出する軸方向の突出長さＬは、０．５ｍｍに設定される。また、前記中芯２の先端部は、半球面形状を有する。筆跡幅は、筆記開始時が１．０ｍｍであり、５００ｍ筆記終了後も同じ１．０ｍｍであった。５００ｍ筆記終了後において、ホルダー３先端部の潰れ及び中芯２部の先端の潰れは生じなかった。
【００４１】
〔比較例１〕
ペン先は、アクリル繊維のエポキシ樹脂加工体（空隙率４０％）のみからなり、本発明のように、ホルダー３は存在しない。筆跡幅は、筆記開始時が１．５ｍｍであり、５００ｍ筆記終了後が３．０ｍｍであり、筆跡幅が２倍に増加した。５００ｍ筆記終了後において、ペン先先端部の潰れが生じた（図６（ａ）（ｂ）参照）。
【００４２】
〔比較例２〕
ペン先は、ポリエステル繊維のウレタン樹脂加工体（空隙率５０％）のみからなり、本発明のように、ホルダー３は存在しない。筆跡幅は、筆記開始時が０．８ｍｍであり、５００ｍ筆記終了後が２．４ｍｍであり、筆跡幅が３倍に増加した。５００ｍ筆記終了後において、ペン先先端部の激しい潰れが生じた。
【図面の簡単な説明】
【００４３】
【図１】本発明の第１の実施の形態を示す縦断面図である。
【図２】本発明の第２の実施の形態を示す縦断面図である。
【図３】本発明のペン先の先端部の拡大縦断面図である。
【図４】筆記時の本発明のペン先の先端部の拡大縦断面図である。
【図５】（ａ）が筆記開始前の実施例のペン先の先端部を示す写真であり、（ｂ）が５００ｍ筆記終了後の実施例のペン先の先端部を示す写真である。
【図６】（ａ）が筆記開始前の比較例のペン先の先端部を示す写真であり、（ｂ）が５００ｍ筆記終了後の比較例のペン先の先端部を示す写真である。
【符号の説明】
【００４４】
１  ペン先
２  中芯
２１  係合凹部
３  ホルダー
３１  周状被覆部
３２  鍔部
３３  空気溝
４  筆記具
５  軸筒
５１  インキ吸蔵体
５２  インキ貯溜部
６  ペン先保持筒
６１  内側段部
６２  インキ吸収体
６３  空気溝
７  中芯保持筒
７１  係合凸部
７２  鍔部
８  弁装置
８１  弁体
８１ａ  前部
８１ｂ  弁部
８１ｃ  後部
８１ｄ  ペン先取付孔
８１ｅ  連通孔
８２  弁座
８２ａ  鍔部
８３  弾発体支持筒
８３ａ  鍔部
８４  弾発体
９  被筆記面
Ｌ  中芯の先端部が周状被覆部の先端から突出する軸方向の突出長さ
Ｄ  周状被覆部の先端開口部の内径
【図１】
2005131943.tif 000003
【図２】
2005131943.tif 000004
【図３】
2005131943.tif 000005
【図４】
2005131943.tif 000006
【図５】
2005131943.tif 000007
【図６】
2005131943.tif 000008